(57)【要約】【課題】簡便な構成で除塵を行い、動力を伝達するギヤ部を用いなくても、効率的にフィルターの除塵を行う電気掃除機を提供する。【解決手段】吸引風を発する電動送風機２と、吸引風によって吸引した塵埃を捕集する波形状のフィルター１４とを備えた電気掃除機において、フィルター１４の吸気面に添いながら往復動作し吸気面に付着した塵埃を除塵する除塵子１５を具備し、形状記憶合金で構成した駆動体１７の熱変形により除塵子１５に往復動を与えるものである。これにより、除塵機構は除塵子１５と、駆動源である形状記憶合金とで構成可能となり、細塵の付着によって除塵動作が阻害される恐れは解消され、効率的に除塵することができる。【選択図】図２
2009268847.tif 000002
【特許請求の範囲】
【請求項１】
吸引風を発する電動送風機と、前記吸引風によって吸引した塵埃を捕集する波形状のフィルターとを備えた電気掃除機において、前記フィルターの吸気面に添いながら往復動作し前記吸気面に付着した塵埃を除塵する除塵子を具備し、形状記憶合金で構成した駆動体の熱変形により前記除塵子に往復動を与えることを特徴とする電気掃除機。
【請求項２】
駆動体は、コイル状の形状記憶合金で構成されている請求項１記載の電気掃除機。
【請求項３】
吸引風を発する電動送風機と、前記吸引風によって吸引した塵埃を捕集する波形状のフィルターとを備えた電気掃除機において、前記フィルターの吸気面に添いながら往復動作し前記吸気面に付着した塵埃を除塵する除塵子を具備し、前記除塵子は形状記憶合金で構成され、前記形状記憶合金の熱変形により往復動することを特徴とする電気掃除機。
【請求項４】
除塵子の複数は、ワイヤー状を成し、波形状のフィルターの吸気面における谷側から山側に向かって直線的に平行に配され、前記複数のワイヤーが熱変形によってフィルターの側面に添いながら屈曲動作することを特徴とする請求項３記載の電気掃除機。
【請求項５】
除塵子は網目状を成し、フィルターの吸気面に添うように配され、前記形状記憶合金の熱変形によって、前記フィルターの吸気面に添いながら伸縮動作することを特徴とする請求項３記載の電気掃除機。
【発明の詳細な説明】
【技術分野】
【０００１】
本発明は、フィルターの除塵機能を有した電気掃除機に関するものである。
【背景技術】
【０００２】
従来、この種の電気掃除機において、吸引口から流入した含塵空気から塵埃を分離する塵埃分離部と、塵埃分離部を通過した空気にまだ含まれる細塵を捕捉するためにプリーツ状のフィルターを有しており、コードリール、モーター等の駆動源を利用して除塵子を左右方向、もしくは回転方向に移動させ、前記除塵子を前記フィルターの山部や谷部を次々にはじき除塵する構成が一般的である。このはじき除塵による衝撃では、充分な除塵ができないことを問題として、別構成による除塵機構の発明が特公昭６３−５１０１３号で提案されている。
【０００３】
この文献で提案されている除塵機能の構成は、波形状のフィルターの吸気面を除塵するフィルター折り返し面に平行な方向に往復運動が可能に配置された櫛刃状の除塵子と、前記除塵子に上記往復方向への移動力を付与する回転駆動体を設け、かつ、除塵子を初期の位置に復帰させるばね部材を設けたものである。
【特許文献１】特公昭６３−５１０１３号公報
【発明の開示】
【発明が解決しようとする課題】
【０００４】
しかしながら、上記構成では往復運動を与えるために、コードリールやモーター等の駆動源、駆動力を伝達するギヤ部、また回転運動を直線運動に変換するギヤ部等の構成が複雑になってしまう。また、このギヤ構成の一部はフィルター吸気面側に配置させる必要があることから、フィルターの吸気面に付着する細塵がギヤ部にも付着してしまうと、細塵の咬み込みにより、ギヤ部がロックしてしまう恐れがあり、除塵動作の信頼性に問題があった。
【０００５】
そこで、本発明の目的は、上記の課題を解決するものであり、簡便な構成で除塵を行い、動力を伝達するギヤ部を用いなくても、効率的にフィルターの除塵を行う電気掃除機を提供することである。
【課題を解決するための手段】
【０００６】
上記目的を達成するために、本発明の電気掃除機は、吸引風を発する電動送風機と、前記吸引風によって吸引した塵埃を捕集する波形状のフィルターとを備えた電気掃除機において、前記フィルターの吸気面に添いながら往復動作し前記吸気面に付着した塵埃を除塵する除塵子を具備し、形状記憶合金で構成した駆動体の熱変形により前記除塵子に往復動を与えることを特徴とする。
【０００７】
上記構成によれば、形状記憶合金で構成した駆動体の熱変形により、除塵子に往復運動を与えているため、動力の伝達部位を用いなくても、フィルターの吸気面に付着した塵埃を除塵することが可能となる。
【０００８】
また、本発明の電気掃除機は、吸引風を発する電動送風機と、前記吸引風によって吸引した塵埃を捕集する波形状のフィルターとを備えた電気掃除機において、前記フィルターの吸気面に添いながら往復動作し前記吸気面に付着した塵埃を除塵する除塵子を具備し、前記除塵子は形状記憶合金で構成され、前記形状記憶合金の熱変形により往復動する構成とすることにより、除塵子自身の熱変形により除塵子を往復動するため、ギヤ部を用いな
くても、フィルターの吸気面に付着した塵埃を除塵することが可能となる。
【発明の効果】
【０００９】
本発明によると、フィルター吸気面側に構成する除塵構造において、細塵付着による動作不良を起こす恐れは解消でき、効率良くフィルター除塵を機能させることができる。
【発明を実施するための最良の形態】
【００１０】
第１の発明は、吸引風を発する電動送風機と、前記吸引風によって吸引した塵埃を捕集する波形状のフィルターとを備えた電気掃除機において、前記フィルターの吸気面に添いながら往復動作し前記吸気面に付着した塵埃を除塵する除塵子を具備し、形状記憶合金で構成した駆動体の熱変形により前記除塵子に往復動を与えることを特徴とする電気掃除機である。
【００１１】
この構成により、形状記憶合金の駆動体は、ジュール熱によって形状が変形し、この熱変形による往復動作を駆動源として利用しているため、ギヤ部のような駆動伝達部品を用いなくても、除塵機構は除塵子と駆動源である形状記憶合金の駆動体のみで構成することができ、細塵の付着によって駆動伝達部品の動作が阻害される恐れは解消される一方、簡便な除塵機構で効率的に除塵することができる。
【００１２】
第２の発明は、第１の発明の駆動体が、コイル状の形状記憶合金で構成されていることにより、ラックとピニオン等のような駆動伝達部品に比べて、直線方向の変位量を大きくとることができるため、除塵子の往復動作のストロークを多く取ることができ、良好な除塵動作を行なうことができる。
【００１３】
第３の発明は、吸引風を発する電動送風機と、前記吸引風によって吸引した塵埃を捕集する波形状のフィルターとを備えた電気掃除機において、前記フィルターの吸気面に添いながら往復動作し前記吸気面に付着した塵埃を除塵する除塵子を具備し、前記除塵子は形状記憶合金で構成され、前記形状記憶合金の熱変形により往復動することを特徴とする電気掃除機である。
【００１４】
この構成により、除塵子を形状記憶合金で構成することにより、除塵子自身が熱変形によって往復動することができ、駆動体を設けなくても除塵動作することができる。そのため、フィルターの吸気面には形状記憶合金の除塵子のみが配置されることとなり、除塵子とフィルターの吸気面との間に除塵が蓄積しても、除塵動作するときに除塵子が熱変形の押し出し方向に逃げるので、吸気面と除塵子との間が詰まるといった機能障害の恐れは大幅に解消される。
【００１５】
第４の発明は、第３の発明の構成に加えて、除塵子の複数が、ワイヤー状を成し、波形状のフィルターの吸気面における谷側から山側に向かって直線的に平行に配され、前記複数のワイヤーが熱変形によってフィルターの側面に添いながら屈曲動作するものである。
【００１６】
この構成により、波形状のフィルターの吸気面における谷側から山側に向かって直線的に平行に配された形状記憶合金のワイヤーが、熱変形によって吸気面に添って屈曲するため、ワイパーのように動作し、吸気面に付着した細塵を削ぎ落として除塵動作することができ、細塵がワイヤー上に溜まり掛けても、ワイヤーの屈曲により滑り落ち、細塵はワイヤー上に堆積し難い。
【００１７】
第５の発明は、第３の発明の構成に加えて、除塵子は網目状を成し、フィルターの吸気面に添うように配され、前記形状記憶合金の熱変形によって、前記フィルターの吸気面に添いながら伸縮動作するものである。
【００１８】
この構成により、除塵子の網目部分が引っ掛けとなり、網目状の除塵子がフィルターの吸気面に添って伸縮動作するとき、吸気面に付着した細塵を削ぎ落とし、除塵動作することができる。
【００１９】
（実施の形態１）
以下、本発明の実施の形態１に係る電気掃除機ついて、図面を参照しながら説明する。
【００２０】
図１は本実施の形態における電気掃除機の全体斜視図であり、図２は掃除機本体の断面図であり、図３は波形状のフィルターの構成を示す図である。
【００２１】
図１に示すように、１は掃除機本体であり、掃除機本体１の後部に電動送風機２を内蔵する電動送風機室１０を配し、前部に塵埃を分離捕集する塵埃分離室３を配し、更に、掃除機本体１の前部には、ホース４の一端に設けた接続パイプ５が着脱自在に接続される吸引口６が設けられている。ホース４の他端には、掃除の際に握る把手を備えた先端パイプ７を設けており、この先端パイプ７には、延長管８の一端が着脱自在に接続され、さらに延長管８の他端には、床面の塵埃を吸い込むための吸い込み具９が着脱自在に接続されている。
【００２２】
図２に示すように、掃除機本体１は、後部に電送送風機２を内蔵する電動送風機室１０を配し、前部には塵埃を捕集する塵埃分離室３を配している。塵埃分離室３には、電動送風機２で発生する吸引風により吸引された粗塵を分離するための粗塵フィルター１１を配し、ここで、小石、綿ゴミ等の粗塵を分離する。そして、塵埃分離室３と電動送風機２との間には、粗塵フィルター１１を通過した細塵を捕獲するための細塵分離部１２を配し、細塵分離部１２は塵埃分離室３、並びに電動送風機室１０との間にタイトパッキンを介して接続し、その部分でエアー洩れが発生しないようにしている。
【００２３】
細塵分離部１２は、多孔質膜を多層構造にした樹脂製のフィルター１４を波形状にし、そのフィルター１４の周囲を枠体１３にて保持している。この波形状のフィルター１４は、細塵を分離、捕獲するものであり、折り返し部が上下方向となるように配している。これは、後述する除塵子１５によってフィルター１４の吸気面に付着した細塵を除去する際、フィルター１４の吸気面から離脱した細塵をフィルター１４の吸気面に再付着させずに、下方に設けた除塵溜まり１６まで細塵を誘導するためである。ここで言うフィルター１４の吸気面とは、電動送風機２で発生する吸引風が入り込んでくる上流側のフィルター面のことである。
【００２４】
図３に示すように、波形状のフィルター１４の吸気面には、フィルター１４の折り返し形状に一致した櫛形状の除塵子１５を設けており、除塵子１５の上面には、形状記憶合金のワイヤーで構成したコイル状の駆動体１７の一端を取り付けている。コイル状の駆動体１７の他端は、図３では図示を省略しているが、枠体１３（図２を参照）の上部で固持しており、電源部１８からの配線１９が接続されている。電源部１８からの配線１９を介してコイル状の駆動体１７を通電することで、ジュール熱を発生し、発熱による形状変化により駆動体１７が伸縮動作し、除塵子１５に往復動作を与えるものである。
【００２５】
この構成よって、除塵子１５はフィルター１４の吸気面を擦りながら上下に往復動作をさせることができ、吸気面に付着した細塵を削ぎ取りながら除去して、下方に在る除塵溜まり１６に収容することができる。また、駆動体１７がコイル状の形状記憶合金で構成されているため、ラックとピニオン等のような駆動伝達部品に比べて、直線方向の変位量を大きくとることができ、除塵子１５に長いストロークの往復動作を与えることができ、良好な除塵動作を行なうことができる。更にまた、コイル状の形状記憶合金は、前後方向に
も変位可能であるため、除塵子１５とフィルター１４の吸気面との間に塵埃が詰まったとしても、除塵子１５が前方に逃げるため、動作障害にいたることはない。
【００２６】
（実施の形態２）
以下、本発明の実施の形態２に係る電気掃除機ついて、図面を参照しながら説明する。図４は実施の形態２に係るフィルター部分の斜視図であり、図５は同フィルター部の動作を説明するための図である。なお、上述した実施の形態１と重複する構成については、説明を省略する。
【００２７】
図４に示すように、除塵子２０は、ジグザグに折り返し屈曲させた形状記憶合金で構成され、一端をフィルター１４の上方に位置する細塵分離部１２の枠体１３（図２を参照）で保持し、他端は保持せずに変位自在にしており、フィルター１４の吸気面に添うように配している。形状記憶合金製の除塵子２０には、電源部１８（図２を参照）からの配線１９が接続されている。図４は、室温時における形状記憶合金製の除塵子２０の状態を示しており、除塵子２０はジグザグ状に折り返した形状記憶合金が互いに密着するほど収縮状態となっており、この配線１９を介して除塵子２０を通電することにより、形状記憶合金製の除塵子２０内にジュール熱が発生し、図５に示すように、形状記憶合金の熱変形により折り返しの屈曲角が拡がって、除塵子２０の他端が下降して伸張する。このとき、形状記憶合金製の除塵子２０は、フィルター１４の吸気面に付着した塵埃を削ぎ取りながら、下方の除塵溜まり１６（図２を参照）へ落としている。
【００２８】
また、除塵子２０が伸びた伸張状態、つまり屈曲角が拡がった状態で、その屈曲の狭間に塵埃が残っていても、除塵子２０の屈曲角が徐々に狭まり、最終的には除塵子２０間が塞がった時点で、塵埃は空間に押し出されることになる。
【００２９】
次に、実施の形態２におけるその他の形態１に係るフィルター部について、図面を参照しながら説明する。図６はその他の形態１に係るフィルター部の構成を示す斜視図であり、図７は同フィルター部の動作を説明するための図である。なお、上述した実施の形態１と重複する構成については、説明を省略する。
【００３０】
図６に示すように、形状記憶合金製の除塵子２０Ａは、ワイヤー状のものであり、ワイヤー状の除塵子２０Ａは吸気風の下流側より上流側に向かって直線的に配され、かつフィルター１４の吸気面に添うようにして延設させたものを複数本平行に配しており、その一端は、フィルター１４の谷側の上下方向に延設した形状記憶合金製のワイヤー支柱２１につながっている。また、ワイヤー支柱２１には電源部１８（図２を参照）からの配線１９が接続されている。
【００３１】
掃除をしている時は、除塵子２０Ａは水平状態にあり、運転終了後、形状記憶合金製のワイヤー支柱２１を通電すると、その通電で発生したワイヤー支柱２１のジュール熱が水平状態の除塵子２０Ａに伝達し、図７に示すように、除塵子２０Ａが下斜め方向に屈曲変形する。この屈曲変形によって、フィルター１４の吸気面に付着した塵埃をワイパーのように殺ぎ落として除塵する。この構成の場合、ワイヤー状の除塵子２０Ａが水平状態から下斜め方向に屈曲するため、ワイヤー状の除塵子２０Ａに引っ掛かった塵埃は下方向にすべり落ち易い構成となるため、除塵動作を阻害する恐れは抑制される。
【００３２】
次に、実施の形態２におけるその他の形態２に係る細塵分離部について、図面を参照しながら説明する。図８はその他の形態２に係る細塵分離部の構成を示す斜視図であり、図９は同細塵分離部の動作を説明するための図である。なお、上述した実施の形態１と重複する構成については、説明を省略する。
【００３３】
図８に示すように、網目状の除塵子２０Ｂは、形状記憶合金製のワイヤーを網目状にして構成しており、かつフィルター１４の吸気面に添うように配しており、この網目状の除塵子２０Ｂは、フィルター１４の吸引風に対する谷部側の下方の枠体１３で保持させている。そして、網目状の除塵子２０Ｂには電源部１８からの配線１９が接続されている。通常、掃除している時は、図８に示すように、フィルター１４の谷側で縮んだ状態にあり、運転終了後、電源部１８からの配線１９を介して網目状の除塵子２０Ｂを通電すると、網目状の除塵子２０Ｂ内でジュール熱が発生し、図９に示すように、除塵子２０Ｂを構成する形状記憶合金の熱変形によって、フィルター１４の山側に向かって伸長する。この熱変形において、網目部分は上→下、谷側→山側となる下斜め方向に伸縮動作を行うため、フィルターに付着した塵埃を、その網目部分で引っ掛けながら、下方、かつ前方の開放された方向に押し出す挙動をとり、塵埃を効率的に押し出すことができる。
【産業上の利用可能性】
【００３４】
以上説明したように、本発明によれば、細塵を分離・捕集する細塵フィルターを効率良く除塵する電気掃除機に有用である。
【図面の簡単な説明】
【００３５】
【図１】本発明の実施の形態１に係る電気掃除機の全体構成を示す図
【図２】同実施の形態１に係る掃除機本体の断面構造を示す断面図
【図３】同実施の形態１に係る細塵分離部の部分構成を示す斜視図
【図４】本発明の実施の形態２に係るフィルター部の部分構成を示す斜視図
【図５】同フィルター部の動作を説明するための図
【図６】同実施の形態２におけるその他の形態１に係るフィルター部の部分構成を示す斜視図
【図７】同フィルター部の動作を説明するための図
【図８】同実施の形態２におけるその他の形態２に係るフィルター部の部分構成を示す斜視図
【図９】同フィルター部の動作を説明するための図
【符号の説明】
【００３６】
１  掃除機本体
２  電動送風機
３  塵埃分離室
１０  電動送風機室
１２  細塵分離部
１３  枠体
１４  フィルター
１５、２０、２０Ａ、２０Ｂ  除塵子
１７  駆動体
１８  電源部
１９  配線
【図１】
2009268847.tif 000003
【図２】
2009268847.tif 000004
【図３】
2009268847.tif 000005
【図４】
2009268847.tif 000006
【図５】
2009268847.tif 000007
【図６】
2009268847.tif 000008
【図７】
2009268847.tif 000009
【図８】
2009268847.tif 000010
【図９】
2009268847.tif 000011